(57)【要約】【課題】全体が弾性材にて構成されたカバーにおいて、本体の左右側縁部に接近した手指差込口を形成することができる携帯端末保持用カバーを提供する。【解決手段】カバー部１に一対の指先差込口１Ａを設ける。該指先差込口１Ａの内側に差し込んだ指をカバー部１の弾性力で押圧保持するように構成する。本体Ｐの周囲縁に係合する係合部２を設ける。係合部２に、上端係合部２Ａ、下端係合部２Ｂ、左右係合部２Ｃを設ける。下端係合部２Ｂの係合力が係合部２の他の部位の係合力よりも高まるように設ける。係合部２の負荷が下端係合部２Ｂ側を起点としてカバー部１に分散するように構成する。【選択図】図１
2018113663.tif 000002
【特許請求の範囲】
【請求項１】
携帯端末の本体の裏面を被覆するカバー部と本体の周囲側縁の全体又は一部に沿って係合する係合部とが弾性材にて一体成形され、カバー部に形成された左右一対の指先差込口に挿入した指による係合部の負荷が係合部からカバー部に分散するように設けられた携帯端末保持用カバーにおいて、
係合部は、本体の上側縁部側に係合する上端係合部と、本体の下側縁部側に係合する下端係合部と、本体の左右側縁部側に係合する左右係合部とを備えると共に、下端係合部の係合力が係合部の他の部位の係合力より高まるように設けられ、
指先差込口内に指を挿入したときの係合部の負荷が下端係合部側を起点としてカバー部に分散するように構成したことを特徴とする携帯端末保持用カバー。
【請求項２】
前記係合部において、前記下端係合部の幅又は厚みを前記上端係合部及び前記左右係合部それぞれの幅又は厚みよりも増大するように形成した請求項１記載の携帯端末保持用カバー。
【請求項３】
前記カバー部において、前記指先差込口の設定位置は、前記本体の一方の左右側縁部に重なる位置から、他方の左右側縁部方向に指先分だけ移動した範囲までの位置に設定された請求項１記載の携帯端末保持用カバー。
【発明の詳細な説明】
【技術分野】
【０００１】
本発明は、スマートフォンやタブレット等のタッチパネル方式の表示画面を備えた携帯端末に装着して携帯端末の操作性を高める携帯端末保持用カバーに関する。
【背景技術】
【０００２】
スマートフォンやタブレットなど、タッチパネル方式の表示画面を備えた携帯端末に装着するカバーとして、例えば特許文献１の携帯機器用保持具や、特許文献２の携帯端末機用カバーなどが提案されている。
【０００３】
これらのカバーは、いずれもスマートフォンの裏側を被覆するカバー面を弾性体にて形成し、該カバー面に指先差込口を形成したものである。そして、これらの指先差込口は、いずれもカバー面の中央部に向けて大きく開口した形状であった。
【０００４】
すなわち、特許文献１の指先差込口の形状は互いに対向する側に膨らむ円弧形を成しており、特許文献２の指先差込口はＸ形の保持部に沿った形状を成すものである。
【０００５】
また、特許文献３、４の携帯端末ホールド用カバー及び保持用カバーは、当発明者が先に提案したもので、携帯端末を持った手の指で携帯端末を操作することができるなど、操作性を著しく向上させることができる携帯端末ホールド用カバー及び保持用カバーである。
【先行技術文献】
【特許文献】
【０００６】
【特許文献１】特許第５３４２０７９号公報
【特許文献２】実用新案登録第３１７９６１４号公報
【特許文献３】特許第５８０６４２２号公報
【特許文献４】実用新案登録第３２０７６３６号公報
【発明の概要】
【発明が解決しようとする課題】
【０００７】
特許文献１や特許文献２のカバーによると、指先差込口に差し込んだ指は本体の裏面中央部分に固定されることになる。そのため、携帯端末を持った手の指で携帯端末を操作する場合において、小さな手で大型画面のスマートフォンを操作する際に、固定された裏面中央部から表面に指を伸ばすことになるので、表面側の指の操作範囲が制限されてしまう。
【０００８】
すなわち、大きな手であれば、裏面中央部分で支持しながら本体の表面側で操作するのに支障はないとしても、小さな手が裏面中央部分を支持すると、表面側で操作可能な範囲が限られてしまう。したがって、携帯端末を持った手の指で携帯端末を操作する際に、操作可能な範囲を制限しないようにするには、本体の裏面中央ではなく、できるだけ本体の左右側縁部に近い部分で保持する必要がある。
【０００９】
そこで、特許文献３、４に記載のホールド用カバー及び保持用カバーにより、携帯端末を持った手の指で操作する際の操作性を著しく向上させることができるようになった。すなわち、本体の左右側縁部に近接する手指差込口を形成することで、指先が携帯端末裏面のどの位置にあっても、カバー体の弾性力で押圧することができるようになり、携帯端末を持った手で操作する際の操作性を向上させることに成功した。
【００１０】
すなわち、特許文献３のホールド用カバーは、本体の側縁部に着脱自在に装着される固定体と、本体の裏面を被覆するカバー体とを別体で構成したものである。このように、固定体とカバー体とを別体に構成することで、極めて強固に固定することができるカバー体になっている。したがって、指先差込口を本体の左右側縁部に近づけることが可能になり、携帯端末を持った手で操作する際の操作性を十分に高めることができる。
【００１１】
一方、特許文献４の保持用カバーは、本体の側縁部に嵌合する嵌合体と、本体の裏面を被覆するカバー体とが弾性材にて一体成形されたもので、カバー体の左右に指先差込口を形成し、該指先差込口内の指先をカバー体の弾性力で押圧保持するように構成したものである。
【００１２】
この特許文献４の保持用カバーでは、特許文献３のような強固な固定力は得られないが、指先差込口に指を挿入して嵌合体に負荷が加わると、嵌合体とカバー体との弾性力が相互に作用して嵌合体が外れない構成になっている。すなわち、嵌合体に加わる負荷がカバー体の弾性材に分散されて弾性力の均衡が生じ、この均衡によってカバー体が外れない構造である。
【００１３】
ところが、特許文献４の保持用カバーでは、特許文献３のホールド用カバーのように本体の左右側縁部に接近する位置に指先差込口を形成すると、カバー体が外れてしまうことが判明した。すなわち、指先差込口の位置が本体の左右側縁部に近づくほど、嵌合体に加わる負荷がカバー体に分散され難くなり、カバー体の弾性力の均衡が崩れて嵌合体が外れてしまうといった現象が生じるものである。この結果、特許文献４の手指差込口は、本体の左右側縁部からある程度離れた位置に設定しなければならず、特許文献３のように本体を持った手による操作性を十分に高めることは困難になっていた。
【００１４】
そこで本発明は上述の課題を解消すべく創出されたもので、弾性材にて一体成形された保持用カバーにおいて、指先差込口の位置を本体の左右側縁部に接近する位置にまで形成することが可能になり、本体を持った手による操作性を十分に高めることができる携帯端末保持用カバーの提供を目的とするものである。
【課題を解決するための手段】
【００１５】
上述の目的を達成すべく本発明における第１の手段は、携帯端末の本体Ｐの裏面Ｐ２を被覆するカバー部１と本体Ｐの周囲側縁の全体又は一部に沿って係合する係合部２とが弾性材にて一体成形され、カバー部１に形成された左右一対の指先差込口１Ａに挿入した指による係合部２の負荷が係合部２からカバー部１に分散するように設けられた携帯端末保持用カバーにおいて、係合部２は、本体Ｐの上側縁部側に係合する上端係合部２Ａと、本体Ｐの下側縁部側に係合する下端係合部２Ｂと、本体Ｐの左右側縁部側に係合する左右係合部２Ｃとを備えると共に、下端係合部２Ｂの係合力が係合部２の他の部位の係合力より高まるように設けられ、指先差込口１Ａ内に指を挿入したときの係合部２の負荷が下端係合部２Ｂ側を起点としてカバー部１に分散するように構成したことにある。
【００１６】
第２の手段は、前記係合部２において、前記下端係合部２Ｂの幅又は厚みを前記上端係合部２Ａ及び前記左右係合部２Ｃそれぞれの幅又は厚みよりも増大するように形成して前記下端係合部２Ｂの係合力を高めたものである。
【００１７】
第３の手段は、前記カバー部１において、前記指先差込口１Ａの設定位置は、前記本体Ｐの一方の左右側縁部Ｐ３に重なる位置から、他方の左右側縁部Ｐ３方向に指先分だけ移動した範囲までの位置に設定されたものである。
【発明の効果】
【００１８】
本発明の請求項１に記載のごとく、下端係合部２Ｂの係合力が係合部２の他の部位の係合力より高まるように設けられ、指先差込口１Ａ内に指を挿入したときの係合部２の負荷が下端係合部２Ｂ側を起点としてカバー部１に分散するように構成したことで、従来の弾性材にて一体成形する保持用カバーのように、係合部に加わる負荷がカバー体に十分に分散されず係合部が外れてしまうという不都合は解消された。この結果、本体Ｐの左右側縁部Ｐ３に重なるほど接近した位置に指先差込口１Ａを形成して本体を持った手による操作性を十分に高めることが可能になった。
【００１９】
更に、請求項２のごとく、下端係合部２Ｂの幅又は厚みを上端係合部２Ａ及び左右係合部２Ｃそれぞれの幅又は厚みよりも増大するように係合部２を形成することで、本発明保持用カバーを弾性材で一体成形する際に、下端係合部２Ｂの係合力を合理的に強化することができる。
【００２０】
また、請求項３のように、指先差込口１Ａの設定位置を、本体Ｐの一方の左右側縁部Ｐ３に重なる位置から、他方の左右側縁部Ｐ３方向に指先分だけ移動した範囲までの位置に設定することで、本体Ｐを持った手の指で行う操作性を高めることが可能になるものである。仮に、指先差込口１Ａの位置が、この範囲を超えてカバー部１の中央寄りになるほど、本体Ｐを持った手での操作が難しくなる。
【図面の簡単な説明】
【００２１】
【図１】本発明の一実施例を示す分解斜視図である。
【図２】本発明の使用状態を示す背面図である。
【図３】本発明の使用状態を示す正面図である。
【図４】本発明の他の実施例を示す背面図である。
【発明を実施するための形態】
【００２２】
本発明は、スマートフォンやタブレット等のタッチパネル方式の表示画面を備えた携帯端末の本体Ｐ裏側に装着するもので、携帯端末を持ち易くするように構成された保持用カバーである。本発明の基本構成は、本体Ｐの裏面Ｐ２を被覆するカバー部１と、本体Ｐの周囲縁に沿って係合する係合部２とが弾性材にて一体に形成された構成である（図１参照）。
【００２３】
この弾性材は、例えば、シリコンゴム、ウレタンゴム等の各種ゴム材や、ＴＰＵ等の軟質合成樹脂材を含み、指先を押圧保持する性質のある各種の弾性材を自由に選択することができる。本発明では、例えば成形金型によりカバー部１と係合部２とを一体成型手段で成形する。
【００２４】
カバー部１は、本体Ｐの左右側縁部Ｐ３に沿った一対の指先差込口１Ａが形成されている（図２参照）。そして、本体Ｐの左右側縁部Ｐ３のいずれか一方側から指先差込口１Ａの内側に差し込んだ指先をカバー部１の弾性力で押圧保持するように構成している。
【００２５】
係合部２は、本体Ｐの周囲縁に沿って係合する部位で、指先差込口１Ａに指を挿入して係合部２に負荷が加わると、この負荷が係合部２からカバー部１の弾性材に分散されて係合部２が本体Ｐから外れ難くなるように構成されている。本発明の係合部２は、本体Ｐの上側縁部側に係合する上端係合部２Ａと、本体Ｐの下側縁部側に係合する下端係合部２Ｂと、本体Ｐの左右側縁部側に係合する左右係合部２Ｃとで構成される。
【００２６】
そして、下端係合部２Ｂの係合力が上端係合部２Ａ及び左右係合部２Ｃのいずれの係合力よりも高まるように設けてあり、指先差込口１Ａ内に指を挿入したときの係合部２の負荷が下端係合部２Ｂ側を起点としてカバー部１に分散するように構成している。このような係合部２の構成によると、指先差込口１Ａの位置を本体Ｐの左右側縁部Ｐ３に重なるように近接させても、カバー部１と係合部２との弾性力の均衡が保たれるので、係合部２が外れなくなることが判明した（図４参照）。
【００２７】
すなわち、携帯端末は、操作時に多く使用されるホームボタンＰ８を本体Ｐの下部に設けていることが多い（図３参照）。更に、文字等を入力する際の操作は、本体Ｐの下半分を操作することになる。そのため、カバー部１と係合部２との弾性力の均衡が崩れカバーが外れる場合は、最初に下端係合部２Ｂから外れることが実験により明らかになっている。そこで、係合部２において下端係合部２Ｂの係合力を高め、係合部２に加わる負荷を下端係合部２Ｂ側により強固に係合させることで、係合部２の負荷が下端係合部２Ｂ側を起点としてカバー部１の弾性材にバランス良く分散できることが判った。この結果、指先差込口の位置を本体の左右側縁部に接近する位置にまで形成することが可能になり、本体を持った手による操作性を十分に高めることができるものである。
【００２８】
下端係合部２Ｂの係合力を高めるには、例えば、下端係合部２Ｂの表面Ｐ１側に係合する帯状の幅を、上端係合部２Ａ及び左右係合部２Ｃの表面Ｐ１側に係合するそれぞれの帯状幅よりも広くなるように形成することで、下端係合部２Ｂの係合力を他の部位の係合力よりも高めることができる。
【００２９】
また、下端係合部２Ｂの厚みを上端係合部２Ａ若しくは左右係合部２Ｃの厚みより肉厚に形成しても下端係合部２Ｂの係合力を強化することができる。更に、下端係合部２Ｂの幅と厚みを、上端係合部２Ａ若しくは左右係合部２Ｃの幅より広く、且つ上端係合部２Ａ若しくは左右係合部２Ｃよりも肉厚に形成することで、下端係合部２Ｂの係合力を強化することができる。このように、幅と厚みとを組み合わせて係合力を強化することも可能である。
【００３０】
また、この係合部２において、下端係合部２Ｂの係合力を最大とし、次に上端係合部２Ａの係合力を高め、左右係合部２Ｃの係合力が上端係合部２Ａより小さくなるように調整することで、弾性力の均衡を極めてバランス良く保つことができる。すなわち、上端係合部２Ａの幅又は厚みを左右係合部２Ｃの幅又は厚みよりも増大するように形成する。更に、この上端係合部２Ａの幅又は厚みよりも下端係合部２Ｂの幅又は厚みが増大するように形成することで、係合部２全体の係合力を合理的に高めることができる。
【００３１】
カバー部１の指先差込口１Ａは、本体Ｐの左右側縁部Ｐ３に接近した位置に形成される。本体Ｐを持つ手の操作性を高める好ましい位置として、指先差込口１Ａが本体Ｐの左右側縁部Ｐ３に重なるような位置が最も有効である（図４参照）。この位置からできるだけ離れない位置、すなわち、一方の左右側縁部Ｐ３から他方の左右側縁部Ｐ３方向に指先分の距離を移動した位置（図２参照）までの範囲に指先差込口１Ａが設定されるものである。尚、指先のサイズは個人差や性別差、年齢差等がある。そこで、本発明では想定する使用対象者に適した指先の平均的サイズを選択するものである。
【００３２】
スマートフォン等の携帯端末では、本体Ｐを持った手で表示画面をタッチ操作する場合がある。この場合、指先を本体Ｐの左右側縁部Ｐ３に接近した位置で押圧保持できるように構成していると、表示画面の広い範囲に指が届くようになり、本体Ｐの操作性を著しく向上させることができる（図２、図４参照）。仮に、指先差込口１Ａの位置が、この範囲を超えてカバー部１の中央寄りになるほど、本体Ｐを持った手での操作が難しくなる。
【００３３】
また、指先差込口１Ａの形状や長さ、幅等は任意に変更することができる。図示例では携帯端末の側縁のほぼ全長に沿って指先差込口１Ａを形成しているが、例えば、携帯端末の下半分に指先差込口１Ａを形成してもよい。また、図示の指先差込口１Ａは直線状を成しているが、指先差込口１Ａの設定範囲の中で、本体Ｐの左右側縁部Ｐ３に沿って開口する任意の曲線状にしたり指先差込口１Ａの幅を任意に広くしたりすることも可能である。要するに、指先差込口１Ａの内側に差し込んだ指先をカバー部１の弾性力で押圧保持するように構成したものであればよい。
【００３４】
更に、図示例では、指先差込口１Ａに沿って導入部１Ｂを形成している（図２参照）。この導入部１Ｂは、指先差込口１Ａに向けて傾斜する傾斜面を備えたもので、指先を指先差込口１Ａに挿入し易くしている。図示の導入部１Ｂは、帯状を成しているが、この他、扇状の導入部１Ｂを形成することも可能である。また、この導入部１Ｂを省略することも可能である（図４参照）。
【００３５】
尚、本発明の構成は、図示例に限定されるものではなく、例えば下端係合部２Ｂの係合力を高める手段などは実施例に限られず、従来周知の手段や形状、材質等の設計変更は自由に行えるものである。
【符号の説明】
【００３６】
Ｐ  本体
Ｐ１  表面
Ｐ２  裏面
Ｐ３  左右側縁部
Ｐ４  上側縁部
Ｐ５  下側縁部
Ｐ６  操作ボタン
Ｐ７  カメラ
Ｐ８  ホームボタン
１  カバー部
１Ａ  指先差込口
１Ｂ  導入部
１Ｃ  開口部
２  係合部
２Ａ  上端係合部
２Ｂ  下端係合部
２Ｃ  左右係合部
２Ｄ  開口部
【図１】
2018113663.tif 000003
【図２】
2018113663.tif 000004
【図３】
2018113663.tif 000005
【図４】
2018113663.tif 000006
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
携帯端末の本体の裏面を被覆するカバー部と本体の周囲側縁の全体又は一部に沿って係合する係合部とが弾性材にて一体成形され、カバー部に形成された左右一対の指先差込口に挿入した指による係合部の負荷が係合部からカバー部に分散するように設けられた携帯端末保持用カバーにおいて、
係合部は、本体の上側縁部側に係合する上端係合部と、本体の下側縁部側に係合する下端係合部と、本体の左右側縁部側に係合する左右係合部とを備え、
下端係合部の幅又は厚みを上端係合部及び左右係合部それぞれの幅又は厚みよりも増大するように形成して係合部の負荷が下端係合部側を起点としてカバー部に分散するように構成し、本体の左右側縁部に接近した位置に形成した指先差込口の内側に差し込んだ指先をカバー部の弾性力で押圧保持するように構成したことを特徴とする携帯端末保持用カバー。
【手続補正２】
【補正対象書類名】明細書
【補正対象項目名】００１５
【補正方法】変更
【補正の内容】
【００１５】
上述の目的を達成すべく本発明における第１の手段は、携帯端末の本体Ｐの裏面Ｐ２を被覆するカバー部１と本体Ｐの周囲側縁の全体又は一部に沿って係合する係合部２とが弾性材にて一体成形され、カバー部１に形成された左右一対の指先差込口１Ａに挿入した指による係合部２の負荷が係合部２からカバー部１に分散するように設けられた携帯端末保持用カバーにおいて、係合部２は、本体Ｐの上側縁部側に係合する上端係合部２Ａと、本体Ｐの下側縁部側に係合する下端係合部２Ｂと、本体Ｐの左右側縁部側に係合する左右係合部２Ｃとを備え、下端係合部２Ｂの幅又は厚みを上端係合部２Ａ及び左右係合部２Ｃそれぞれの幅又は厚みよりも増大するように形成して係合部２の負荷が下端係合部２Ｂ側を起点としてカバー部１に分散するように構成し、本体Ｐの左右側縁部Ｐ３に接近した位置に形成した指先差込口１Ａの内側に差し込んだ指先をカバー部１の弾性力で押圧保持するように構成したことにある。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１９
【補正方法】変更
【補正の内容】
【００１９】
更に、下端係合部２Ｂの幅又は厚みを上端係合部２Ａ及び左右係合部２Ｃそれぞれの幅又は厚みよりも増大するように係合部２を形成することで、本発明保持用カバーを弾性材で一体成形する際に、下端係合部２Ｂの係合力を合理的に強化することができる。
【手続補正６】
【補正対象書類名】明細書
【補正対象項目名】００２０
【補正方法】変更
【補正の内容】
【００２０】
また、本体Ｐの左右側縁部Ｐ３に接近した位置に形成した指先差込口１Ａの内側に差し込んだ指先をカバー部１の弾性力で押圧保持するように構成したことで、本体Ｐを持った手の指で行う操作性を高めることが可能になるものである。仮に、指先差込口１Ａの位置が、左右側縁部Ｐ３に接近した位置からカバー部１の中央寄りになるほど、本体Ｐを持った手での操作が難しくなる。
【手続補正７】
【補正対象書類名】明細書
【補正対象項目名】００３１
【補正方法】変更
【補正の内容】
【００３１】
カバー部１の指先差込口１Ａは、本体Ｐの左右側縁部Ｐ３に接近した位置に形成される。本体Ｐを持つ手の操作性を高める好ましい位置として、指先差込口１Ａが本体Ｐの左右側縁部Ｐ３に重なるような位置が最も有効である（図４参照）。この位置からできるだけ離れない位置、すなわち、一方の左右側縁部Ｐ３から他方の左右側縁部Ｐ３方向に爪の長さ分の距離を移動した位置（図２参照）までの範囲に指先差込口１Ａが設定されるものである。尚、爪の長さは個人差や性別差、年齢差等がある。そこで、本発明では想定する使用対象者に適した爪の平均的サイズを選択するものである。
【手続補正書】
【提出日】平成29年6月11日(2017.6.11)
【手続補正１】
【補正対象書類名】特許請求の範囲
【補正対象項目名】全文
【補正方法】変更
【補正の内容】
【特許請求の範囲】
【請求項１】
携帯端末の本体の裏面を被覆するカバー部と本体の周囲側縁の全体又は一部に沿って係合する係合部とが弾性材にて一体成形され、カバー部に形成された左右一対の指先差込口に挿入した指による係合部の負荷が係合部からカバー部に分散するように設けられた携帯端末保持用カバーにおいて、カバー部の指先差込口の設定位置は、本体の一方の左右側縁部に重なる位置から、他方の左右側縁部方向に爪の長さ分だけ移動した範囲までの位置に設定され、係合部は、本体の上側縁部側に係合する上端係合部と、本体の下側縁部側に係合する下端係合部と、本体の左右側縁部側に係合する左右係合部とを備え、下端係合部の幅又は厚みを上端係合部及び左右係合部それぞれの幅又は厚みよりも増大するように形成して係合部の負荷が下端係合部側を起点としてカバー部に分散するように構成し、本体の左右側縁部に接近した位置に形成した指先差込口の内側に差し込んだ指先をカバー部の弾性力で押圧保持するように構成したことを特徴とする携帯端末保持用カバー。
【手続補正２】
【補正対象書類名】明細書
【補正対象項目名】００１５
【補正方法】変更
【補正の内容】
【００１５】
上述の目的を達成すべく本発明における第１の手段は、携帯端末の本体Ｐの裏面Ｐ２を被覆するカバー部１と本体Ｐの周囲側縁の全体又は一部に沿って係合する係合部２とが弾性材にて一体成形され、カバー部１に形成された左右一対の指先差込口１Ａに挿入した指による係合部２の負荷が係合部２からカバー部１に分散するように設けられた携帯端末保持用カバーにおいて、カバー部１の指先差込口１Ａの設定位置は、本体Ｐの一方の左右側縁部に重なる位置から、他方の左右側縁部方向に爪の長さ分だけ移動した範囲までの位置に設定され、係合部２は、本体Ｐの上側縁部側に係合する上端係合部２Ａと、本体Ｐの下側縁部側に係合する下端係合部２Ｂと、本体Ｐの左右側縁部側に係合する左右係合部２Ｃとを備え、下端係合部２Ｂの幅又は厚みを上端係合部２Ａ及び左右係合部２Ｃそれぞれの幅又は厚みよりも増大するように形成して係合部２の負荷が下端係合部２Ｂ側を起点としてカバー部１に分散するように構成し、本体Ｐの左右側縁部Ｐ３に接近した位置に形成した指先差込口１Ａの内側に差し込んだ指先をカバー部１の弾性力で押圧保持するように構成したことにある。
【手続補正３】
【補正対象書類名】明細書
【補正対象項目名】００２０
【補正方法】変更
【補正の内容】
【００２０】
また、本体Ｐの左右側縁部Ｐ３に接近した位置に形成した指先差込口１Ａの内側に差し込んだ指先をカバー部１の弾性力で押圧保持するように構成したことで、本体Ｐを持った手の指で行う操作性を高めることが可能になるものである。しかも、指先差込口１Ａの設定位置を、本体Ｐの一方の左右側縁部Ｐ３に重なる位置から、他方の左右側縁部Ｐ３方向に爪の長さ分だけ移動した範囲までの位置に設定することで、本体Ｐを持った手の指で行う操作性を高めることが可能になるものである。仮に、指先差込口１Ａの位置が、この範囲を超えてカバー部１の中央寄りになるほど、本体Ｐを持った手での操作が難しくなる。